(57)【要約】【課題】原稿サイズ検知時、ユーザのまぶしさによる不快感を軽減しつつ、ユーザの使用方法のばらつきによる、原稿サイズ誤検知を防ぐことができる原稿サイズ検知装置を提供すること。【解決手段】  点光源アレイ照明と、点光源アレイ照明を支持し第２コンタクトガラスに載置された原稿シートと相対的に移動する第１キャリッジと、ＣＣＤと、ＡＤＦと、原稿シートのサイズを検知する原稿サイズ検知手段と、を備え、点光源アレイ照明の発光素子を複数の点灯ブロックに分割し、ＡＤＦがある一定角度まで閉められた時に、検知必要領域に対応する部分の順次点灯・消灯を繰り返す原稿サイズ検知装置において、開閉センサ４０２が、ＡＤＦが閉まる直前であることを検知すると、検知必要領域に対応する点光源アレイ照明を全て点灯する。【選択図】図１０
2016119571.tif 000002
【特許請求の範囲】
【請求項１】
原稿台に載置された原稿に光を照射するよう主走査方向に配列された複数の発光素子を有する点光源アレイ照明と、
前記点光源アレイ照明を支持し前記原稿台に載置された前記原稿と相対的に移動する移動体と、
前記光が照射された読取位置での反射光を受光する受光手段と、
前記原稿台に載置された前記原稿を押さえる原稿押さえ手段と、
前記原稿台に載置された前記原稿のサイズを検知する原稿サイズ検知手段と、
前記点光源アレイ照明の前記発光素子を複数の点灯ブロックに分割し、前記原稿サイズ検知時では原稿読取可能な位置に前記移動体を配置し、前記原稿押さえ手段がある一定角度まで閉められた時に、前記点光源アレイ照明の主走査方向における原稿サイズ検知領域のうち検知が必要な検知必要領域に対応する部分の順次点灯・消灯を繰り返す制御手段と、を備えた原稿サイズ検知装置において、
前記原稿押さえ手段が閉まる直前であることを検知する開閉検知手段を有し、
前記制御手段は、前記開閉検知手段が前記原稿押さえ手段が閉まる直前であることを検知すると、前記検知必要領域に対応する前記点光源アレイ照明を全て点灯することを特徴とする原稿サイズ検知装置。
【請求項２】
前記点光源アレイ照明を、前記検知必要領域に対応する部分の互いに隣接していない前記発光素子同士を少なくとも一つ有して直列接続されて備えていることを特徴とする請求項１に記載の原稿サイズ検知装置。
【請求項３】
前記点光源アレイ照明を、前記発光素子同士の接続において、隣接する前記発光素子同士の接続を有して備えていることを特徴とする請求項２に記載の原稿サイズ検知装置。
【請求項４】
前記点光源アレイ照明を、前記発光素子の接続において、隣接していない前記発光素子の接続と隣接している前記発光素子の接続を切り替える機能を有して備えていることを特徴とする請求項３に記載の原稿サイズ検知装置。
【請求項５】
前記点光源アレイ照明を、前記発光素子の配列において、中央部と端部の前記発光素子の配置間隔が異なって備えていることを特徴とする請求項１から請求項４のいずれか１項に記載の原稿サイズ検知装置。
【請求項６】
前記原稿読取時と前記原稿サイズ検知時での前記発光素子の光量比率が異なることを特徴とする請求項１から請求項５のいずれか１項に記載の原稿サイズ検知装置。
【請求項７】
請求項２乃至６のいずれかに１項に記載の原稿サイズ検知装置を備えたことを特徴とする原稿読取装置。
【請求項８】
請求項７に記載の原稿読取装置を備えたことを特徴とする画像形成装置。
【請求項９】
主走査方向に複数の発光素子を配列した点光源アレイ照明が、原稿台に載置された原稿の読取位置に光を照射するステップと、
前記点光源アレイ照明を支持する移動体が前記原稿台に載置された前記原稿と相対的に移動するステップと、
前記光が照射された読取位置での反射光を受光素子が受光するステップと、
前記原稿台に載置された前記原稿のサイズを検知する原稿サイズ検知ステップと、
前記点光源アレイ照明の前記発光素子を複数の点灯ブロックに分割し、前記原稿のサイズの検知時は原稿読取可能な位置に前記移動体を配置し、原稿押さえ手段がある一定角度まで閉められた時に、前記点光源アレイ照明の主走査方向における原稿サイズ検知領域のうち検知が必要な検知必要領域に対応する部分の順次点灯・消灯を繰り返す制御ステップと、を含む原稿サイズ検知方法において、
前記原稿押さえ手段が閉まる直前であることを検知する開閉検知ステップを含み、
前記制御ステップは、前記開閉検知ステップが前記原稿押さえ手段が閉まる直前であることを検知すると、前記検知必要領域に対応する前記点光源アレイ照明を全て点灯することを特徴とする原稿サイズ検知方法。
【請求項１０】
前記制御ステップは、前記原稿のサイズの検知時に、前記点光源アレイ照明の長手方向の原稿有無検知位置に応じた前記点光源アレイ照明の前記点灯パターンで得られた前記受光素子の信号を、予め格納されていた格納シェーディング補正データを用いて補正することにより原稿有無を判断し、その結果に応じて、次の原稿有無検知を行い、全ての原稿有無検知後に前記点灯パターンの実シェーディング補正データを取得し、前記原稿有無判断時の前記格納シェーディング補正データと原稿有無検知後の前記実シェーディング補正データとを比較することを特徴とする請求項９に記載の原稿サイズ検知方法。
【請求項１１】
前記実シェーディング補正データの取得を装置内副走査方向に設けられた基準白板の読み取りによって実施することを特徴とする請求項１０に記載の原稿サイズ検知方法。
【請求項１２】
前記格納シェーディング補正データと、前記実シェーディング補正データの比較の結果が閾値を越えた場合にエラー処理を行うことを特徴とする請求項１０または請求項１１に記載の原稿サイズ検知方法。
【請求項１３】
一部の前記格納シェーディング補正データと、前記実シェーディング補正データの比較の結果が閾値を越えた場合に、それを除く点灯パターンの原稿有無判断にて、全ての原稿有無判断位置の情報を取得できていた場合には、その結果をもって原稿サイズ決定することを特徴とする請求項１０乃至請求項１２のいずれか１項に記載の原稿サイズ検知方法。
【請求項１４】
前記原稿サイズ検知ステップで、前記点光源アレイ照明の前記点灯パターンに応じた前記実シェーディング補正データを取得した際には、その実シェーディング補正データを前記格納シェーディング補正データとして再格納することを特徴とする請求項１０乃至請求項１３のいずれか１項に記載の原稿サイズ検知方法。
【請求項１５】
前記実シェーディング補正データの再格納は、前記格納シェーディング補正データの比較において、閾値を超えなかったデータのみに適用することを特徴とする請求項１４に記載の原稿サイズ検知方法。
【請求項１６】
前記移動体が原稿読取可能な位置範囲内を移動しながら原稿有無判断を行うことを特徴とする請求項９乃至１５のいずれか１項に記載の原稿サイズ検知方法。
【請求項１７】
前記基準白板の読み取りを、前記移動体を前記基準白板の読取可能範囲内で移動させながら行うことを特徴とする請求項１１に記載の原稿サイズ検知方法。
【請求項１８】
原稿有無判断時の前記点光源アレイ照明の前記点灯パターン数に応じて、前記移動体の移動速度を変更することを特徴とする請求項９乃至１７のいずれか１項に記載の原稿サイズ検知方法。
【請求項１９】
原稿有無判断時の前記点光源アレイ照明の前記点灯パターン数に応じて、前記受光ステップでの出力取得タイミングを変更することを特徴とする請求項１８に記載の原稿サイズ検知方法。
【発明の詳細な説明】
【技術分野】
【０００１】
本発明は、原稿台上に載置された原稿サイズを検知する画像読取装置に関する。
【背景技術】
【０００２】
複合機（ＭＦＰ：Ｍｕｌｔｉ  Ｆｕｎｃｔｉｏｎ  Ｐｅｒｉｐｈｅｒａｌ）で用いられるスキャナでは一般的に搭載された原稿サイズを自動的に検知する原稿サイズ検知機能を有している。一般的なＭＦＰでは、副走査方向サイズをフォトセンサで判断し、主走査方向サイズを原稿領域先端部の画像を取得しその取得画像から判断し、原稿サイズを検知する方法が多く用いられているが、主走査方向のサイズ検知時、照明が点灯するためユーザがまぶしさによる不快感を感じることがある。それを軽減するために原稿が置かれていない範囲を極力点灯させずに、原稿サイズ検知を行う方法が既に知られている（例えば、特許文献１参照）。
【０００３】
上述の原稿が置かれていない範囲を極力点灯させずに原稿サイズ検知を行う方法では、原稿を設置した後、原稿を押さえるための圧板等（ＡＤＦ、ＤＦも含む。以下同じ）を閉めている途中より原稿サイズ検知を開始し、圧板が完全に閉じられるまで行われる。
【０００４】
この際、原稿サイズ検知装置の主走査方向奥側より照明を点灯させ、画像信号によって原稿が置かれていることを検知した場合、次の部分光源を点灯させることで、原稿サイズ検知装置の主走査方向奥側より順次部分光源を点灯させる。原稿が載置されていないことを検知したときは、次以降の主走査方向手前側（ユーザ側）の照明を点灯させないことでユーザのまぶしさによる不快感を軽減することが行われている。
【発明の概要】
【発明が解決しようとする課題】
【０００５】
しかしながら、実際にユーザが原稿サイズ検知装置を使用する際は、圧板のサイズや重さ、またユーザ自身の個体差など、様々な理由で圧板を閉める速さが異なり、原稿サイズ検知結果より順次手前側に点灯させていく場合、圧板を閉める速度が速いユーザは原稿サイズ検知が終わる前に圧板が閉じてしまい、原稿サイズ検知が最後まで行われず、誤検知を起こしてしまうという問題があった。
【０００６】
本発明は、上述のような事情に鑑みてなされたもので、原稿サイズ検知時、ユーザのまぶしさによる不快感を軽減しつつ、ユーザの使用方法のばらつきによる、原稿サイズ誤検知を防ぐことができる原稿サイズ検知装置、原稿読取装置、画像形成装置および原稿サイズ検知方法を提供することを目的とする。
【課題を解決するための手段】
【０００７】
本発明に係る原稿サイズ検知装置は、上記目的達成のため、原稿台に載置された原稿に光を照射するよう主走査方向に配列された複数の発光素子を有する点光源アレイ照明と、前記点光源アレイ照明を支持し前記原稿台に載置された前記原稿と相対的に移動する移動体と、前記光が照射された読取位置での反射光を受光する受光手段と、前記原稿台に載置された前記原稿を押さえる原稿押さえ手段と、前記原稿台に載置された前記原稿のサイズを検知する原稿サイズ検知手段と、前記点光源アレイ照明の前記発光素子を複数の点灯ブロックに分割し、前記原稿サイズ検知時では原稿読取可能な位置に前記移動体を配置し、前記原稿押さえ手段がある一定角度まで閉められた時に、前記点光源アレイ照明の主走査方向における原稿サイズ検知領域のうち検知が必要な検知必要領域に対応する部分の順次点灯・消灯を繰り返す制御手段と、を備えた原稿サイズ検知装置において、前記原稿押さえ手段が閉まる直前であることを検知する開閉検知手段を有し、前記制御手段は、前記開閉検知手段が前記原稿押さえ手段が閉まる直前であることを検知すると、前記検知必要領域に対応する前記点光源アレイ照明を全て点灯することを特徴とする。
【発明の効果】
【０００８】
本発明によれば、原稿サイズ検知時、ユーザのまぶしさによる不快感を軽減しつつ、ユーザの使用方法のばらつきによる、原稿サイズ誤検知を防ぐことができる原稿サイズ検知装置、原稿読取装置、画像形成装置および原稿サイズ検知方法を提供することができる。
【図面の簡単な説明】
【０００９】
【図１】本発明の実施の形態に係る画像形成装置の概略構成を示す正面断面図である。
【図２】本発明の実施の形態に係る画像形成装置における画像形成部の概略構成図である。
【図３】本発明の実施の形態に係る画像形成装置における画像形成部のプロセスユニットの概略構成図である。
【図４】本発明の実施の形態に係る画像形成装置における装置本体と原稿搬送装置とのヒンジ結合部の斜視図である。
【図５】本発明の実施の形態に係る画像形成装置における原稿搬送装置の概略構成図である。
【図６】本発明の実施の形態に係る画像形成装置の制御構成を表すブロック図である。
【図７】本発明の実施の形態に係る画像形成装置における第２面読取部のブロック図である。
【図８】本発明の実施の形態に係る画像形成装置における第２コンタクトガラスの原稿サイズ検知必要領域と原稿サイズの位置関係を示す説明図である。
【図９】本発明の実施の形態に係る画像形成装置の原稿サイズ検知開始の仕組みを説明する図であり（ａ）は原稿搬送装置が開いた状態の画像形成装置を斜め上方から視た図、（ｂ）は原稿搬送装置が開いた状態の画像形成装置を側面側から視た図、（ｃ）は原稿搬送装置が閉じた状態の画像形成装置を側面側から視た図である。
【図１０】本発明の実施の形態に係る画像形成装置の原稿サイズ検知途中で原稿搬送装置が閉まる直前を検知する方法を説明する図であり、（ａ）は原稿搬送装置が開いた状態、（ｂ）は原稿搬送装置が閉まる直前の状態、（ｃ）は原稿搬送装置が閉じた状態を示す。
【図１１】本発明の実施の形態に係る画像形成装置の原稿サイズを検知する処理のフロー図である。
【図１２】本発明の実施の形態に係る画像形成装置の原稿サイズ検知途中で原稿搬送装置が閉まる直前を検知する他の方法を説明する概略図である。
【図１３】本発明の実施の形態に係る画像形成装置の原稿サイズ検知途中で原稿搬送装置が閉まる直前を検知する他の方法を説明する詳細図であり、（ａ）は原稿搬送装置が開いた状態の開閉センサ、（ｂ）は原稿搬送装置が閉まる直前の状態の開閉センサ、（ｃ）は原稿搬送装置が閉じた状態の開閉センサを示す。
【図１４】本発明の実施の形態に係る画像形成装置の点光源アレイ照明の概略構成図である。
【図１５】本発明の第２の実施の形態に係る画像形成装置の発光素子基板を示す図である。
【図１６】本発明の第２の実施の形態に係る画像形成装置の発光素子同士の接続を示す図である。
【図１７】本発明の第３の実施の形態に係る画像形成装置の瞬時原稿有無判断について説明する図である。
【図１８】本発明の第３の実施の形態に係る画像形成装置のシェーディング補正データの比較制御について説明するフロー図である。
【発明を実施するための形態】
【００１０】
以下、本発明の実施の形態について、図面を用いて説明する。
【００１１】
（第１の実施の形態）
まず、本発明の第１の実施の形態に係る画像形成装置の構成について説明する。
【００１２】
図１に示すように、本実施の形態に係る画像形成装置１は、給紙部２、画像形成部３および原稿読取部４を有する装置本体１Ｍと、装置本体１Ｍ上に配置された自動原稿搬送部（以下、ＡＤＦともいう）５とを備えたデジタル複合機である。原稿読取部４および自動原稿搬送部５は、原稿読取装置６を構成している。自動原稿搬送部５は、本発明の原稿押さえ手段を構成している。なお、原稿押さえ手段としては、原稿搬送装置（ＤＦ）や圧板等を用いてもよい。自動原稿搬送部５には、本発明の原稿サイズ検知装置が含まれる。
【００１３】
給紙部２は、それぞれカットシート状の転写紙Ｐを積層状態で収納可能な複数段の給紙カセット２１Ａ，２１Ｂ，２１Ｃを有している。各給紙カセット２１Ａ，２１Ｂ，２１Ｃには、例えば複数のシートサイズから予め選択されたシートサイズの転写紙Ｐ（例えば白紙）が、縦又は横の給紙方向に向けて収容されるようになっている。
【００１４】
給紙部２は、給紙カセット２１Ａ，２１Ｂ，２１Ｃに収納された転写紙Ｐをそれぞれの最上層側から順次ピックアップして分離給紙する給紙装置２２Ａ，２２Ｂ，２２Ｃを有している。給紙部２には、さらに、各種ローラ２３等が設けられており、これらによって、各給紙装置２２Ａ，２２Ｂ，２２Ｃから給紙された転写紙Ｐを画像形成部３の所定の画像形成位置まで搬送する給紙経路２４が形成されている。
【００１５】
画像形成部３は、露光装置３１と、感光体ドラム３２Ｋ，３２Ｙ，３２Ｍ，３２Ｃと、ブラック（Ｋ）、イエロー（Ｙ）、マゼンタ（Ｍ）およびシアン（Ｃ）の各トナーが充填された現像装置３３Ｋ，３３Ｙ，３３Ｍ，３３Ｃとを備えている。また、画像形成部３は、一次転写部３４と、二次転写部３５と、定着部３６とを備えている。
【００１６】
露光装置３１は、例えば、原稿読取装置６で読み取った原稿データに基づいて各色の露光用のレーザ光Ｌを生成するようになっている。また、露光装置３１は、各色のレーザ光で各色の感光体ドラム３２Ｋ，３２Ｙ，３２Ｍ，３２Ｃを露光して、各感光体ドラム３２Ｋ，３２Ｙ，３２Ｍ，３２Ｃの表層部に読取原稿に対応した各色の静電潜像を形成するようになっている。
【００１７】
現像装置３３Ｋ，３３Ｙ，３３Ｍ，３３Ｃは、それぞれ対応する感光体ドラム３２Ｋ，３２Ｙ，３２Ｍ，３２Ｃに薄層状のトナーを近接させるように供給して、静電潜像をトナーにより顕像化する現像を行うようになっている。
【００１８】
画像形成部３は、感光体ドラム３２Ｋ，３２Ｙ，３２Ｍ，３２Ｃ上に現像されたトナー像を一次転写部３４に一次転写し、一次転写部３４に近接する二次転写部３５でそのトナー像を転写紙Ｐに二次転写するようになっている。また、画像形成部３は、転写紙Ｐに二次転写したトナー像を定着部３６により加熱・加圧して溶融させ、転写紙Ｐにカラー画像を定着させて記録するようになっている。
【００１９】
画像形成部３は、給紙部２から給紙経路２４を経て搬入された転写紙Ｐを二次転写部３５側に搬送する搬送経路３９Ａを有している。この搬送経路３９Ａにおいては、まず、レジストローラ対３７において、転写紙Ｐの搬送タイミングおよび搬送速度が調整されるようになっている。そして、転写紙Ｐは、一次転写部３４および二次転写部３５でのベルト速度に同期した状態で二次転写部３５および定着部３６を通過した後、排紙トレイ３８上に排紙されるようになっている。
【００２０】
画像形成部３は、手差トレイ２５上に載置される転写紙（図示せず）をレジストローラ対３７よりも上流側で搬送経路３９Ａに給紙する手差給紙経路３９Ｂを併有している。
【００２１】
二次転写部３５および定着部３６の下方には、それぞれ複数の搬送ローラおよび搬送ガイド等からなるスイッチバック搬送路３９Ｃおよび反転搬送路３９Ｄが配設されている。
【００２２】
スイッチバック搬送路３９Ｃは、転写紙Ｐの両面に画像を形成する場合に、任意の一面に画像定着が済んだ転写紙Ｐを一端から進入させた後に、後退（進入時とは逆方向に移動）させるスイッチバック搬送を行うようになっている。
【００２３】
反転搬送路３９Ｄは、スイッチバック搬送路３９Ｃによりスイッチバック搬送された転写紙Ｐの表裏を反転させて、レジストローラ対３７に再度給紙するようになっている。
【００２４】
これらスイッチバック搬送路３９Ｃおよび反転搬送路３９Ｄにより、一面に対する画像定着処理を終えた転写紙Ｐは、その進行方向を逆向きに切り替えられた後に表裏反転されて、再び二次転写ニップに進入する。そして、転写紙Ｐは、他面にも画像の二次転写処理と定着処理とが施された後、排紙トレイ３８上に排紙されるようになっている。
【００２５】
原稿読取部４は、光源としての点光源アレイ照明３１０（図１４参照）および反射部材３０２（図１４参照）を搭載した第１キャリッジ４１と、図示しない反射部材を搭載した第２キャリッジ４２と、結像レンズ４３と、ＣＣＤ４４と、第１コンタクトガラス４５とを備えている。点光源アレイ照明３１０の詳細については後述する。これらは装置本体１Ｍ側に配設され、第１コンタクトガラス４５上に搬送される原稿シートＳの片側の原稿面（例えば表側の原稿面）の原稿読取りする第１面読取部４０を構成している。ここにいう第１面とは、自動搬送される原稿シートＳの片面、例えば表側の原稿面である。
【００２６】
なお、第１キャリッジ４１は、本発明に係る移動体を構成している。また、ＣＣＤ４４は、本発明に係る受光手段および原稿サイズ検知手段を構成している。
【００２７】
原稿読取部４には、原稿シートＳが載置される第２コンタクトガラス４６と、原稿シートＳの一辺の突当ておよび位置決めが可能な突当部材４７ａ等とが併設されている。なお、第２コンタクトガラス４６は、本発明の原稿台を構成している。
【００２８】
第１キャリッジ４１は、第１コンタクトガラス４５および第２コンタクトガラス４６の下方に、図中の左右方向に移動可能におよび位置制御可能に設けられており、光源からの照明光を反射部材３０２で反射して露光面側に照射することができるようになっている。原稿シートＳで反射した反射光は、第１キャリッジ４１および第２キャリッジ４２に搭載された各反射部材を経由して結像レンズ４３により結像される。ＣＣＤ４４は、読取位置での反射光を受光することで、その結像した画像を読み取るようになっている。
【００２９】
原稿読取部４は、光源点灯状態で第１キャリッジ４１および第２キャリッジ４２を例えば２：１の速度比で移動させつつ、第２コンタクトガラス４６上に置いた原稿シートＳの原稿面を露光走査することができるようになっている。そして、原稿読取部４は、この露光走査時にＣＣＤ４４により原稿を読み取ることで、固定原稿読取機能（いわゆるフラットベッドスキャナ機能）を発揮できるようになっている。
【００３０】
原稿読取部４は、第１キャリッジ４１を第１コンタクトガラス４５の直下の定位置に停止させることができるようになっている。そして、原稿読取部４は、光源や反射ミラー等からなる光学系を移動させることなく、自動原稿搬送中の原稿シートＳの第１面の原稿を読み取る移動原稿読取機能（いわゆるＤＦスキャナ機能）を発揮できるようになっている。
【００３１】
さらに、画像形成装置１は、原稿読取部４における第１面読取部４０に加えて、自動原稿搬送部５側に内蔵された第２面読取部４８を併有している。第２面読取部４８は、第１コンタクトガラス４５上を通過した後の原稿シートＳの第２面、例えば裏側の原稿面を走査するようになっている。
【００３２】
自動原稿搬送部５は、画像形成装置１の装置本体１Ｍの上部にヒンジ機構を介して開閉動作可能に連結され、第２コンタクトガラス４６に載置された原稿シートＳを押さえるようになっている。自動原稿搬送部５は、原稿読取部４における第１コンタクトガラス４５および第２コンタクトガラス４６を露出させる開放位置と、第１コンタクトガラス４５および第２コンタクトガラス４６を覆う閉止位置との間で回動操作されるようになっている。
【００３３】
自動原稿搬送部５は、シートスルー方式の自動原稿搬送装置として構成されている。自動原稿搬送部５は、原稿載置台である原稿テーブル５１と、各種ローラおよびガイド部材等からなる原稿搬送部５２と、原稿読み取り後の原稿シートＳを集積する原稿排紙トレイ５３とを備えている。
【００３４】
図２に示すように、画像形成部３は、露光装置３１と、感光体ドラム３２Ｋ，３２Ｙ，３２Ｍ，３２Ｃと、ブラック（Ｋ）、イエロー（Ｙ）、マゼンタ（Ｍ）およびシアン（Ｃ）のトナーが充填された現像装置３３Ｋ，３３Ｙ，３３Ｍ，３３Ｃとを備えている。また、画像形成部３は、一次転写部３４と、二次転写部３５と、定着部３６とを備えている。
【００３５】
感光体ドラム３２Ｋ，３２Ｙ，３２Ｍ，３２Ｃおよび現像装置３３Ｋ，３３Ｙ，３３Ｍ，３３Ｃは、ドラムクリーニング装置１１Ｋ，１１Ｙ，１１Ｍ，１１Ｃ等とともに、プロセスユニット３０Ｋ，３０Ｙ，３０Ｍ，３０Ｃを構成している。これらプロセスユニット３０Ｋ，３０Ｙ，３０Ｍ，３０Ｃは、それぞれ使用するトナーの色が異なる他はほぼ同様の構成になっている。
【００３６】
露光装置３１は、例えば、原稿読取装置６で読み取った画像に基づいて各色の露光用のレーザ光Ｌを生成するようになっている。露光装置３１は、各色の感光体ドラム３２Ｋ，３２Ｙ，３２Ｍ，３２Ｃを露光し、各感光体ドラム３２Ｋ，３２Ｙ，３２Ｍ，３２Ｃの表層部に読取原稿に対応した各色の静電潜像を形成するようになっている。
【００３７】
現像装置３３Ｋ，３３Ｙ，３３Ｍ，３３Ｃは、それぞれ対応する感光体ドラム３２Ｋ，３２Ｙ，３２Ｍ，３２Ｃに薄層状のトナーを供給して、静電潜像をトナーにより顕像化する現像を行うようになっている。
【００３８】
画像形成部３は、感光体ドラム３２Ｋ，３２Ｙ，３２Ｍ，３２Ｃ上に現像されたトナー像を一次転写部３４に一次転写し、一次転写部３４に近接する二次転写部３５でそのトナー像を転写紙Ｐに二次転写するようになっている。また、画像形成部３は、転写紙Ｐに二次転写したトナー像を定着部３６により加熱・加圧して溶融させ、転写紙Ｐにカラー画像を定着させて記録するようになっている。
【００３９】
一次転写部３４は、４つのプロセスユニット３０Ｋ，３０Ｙ，３０Ｍ，３０Ｃの感光体ドラム３２の下方に、それぞれ転写ユニット１４を構成している。
【００４０】
各転写ユニット１４は、搬送ローラ３４ｃ，３４ｄおよび一次転写ローラ３４ａによって張架した無端状の中間転写ベルト３４ｂを、感光体ドラム３２Ｋ，３２Ｙ，３２Ｍ，３２Ｃに当接させながら、図中の時計回り方向に周回させるようになっている。これにより、各感光体ドラム３２Ｋ，３２Ｙ，３２Ｍ，３２Ｃと中間転写ベルト３４ｂとが当接する各色用の一次転写ニップを形成するようになっている。
【００４１】
各一次転写ニップの近傍では、中間転写ベルト３４ｂのループ内に配設された各色の一次転写ローラ３４ａが、中間転写ベルト３４ｂを対応する感光体ドラム３２Ｋ，３２Ｙ，３２Ｍ，３２Ｃに向けて押圧している。これら各色の一次転写ローラ３４ａには、それぞれ図示しない電源によって一次転写バイアスが印加されている。これにより、各色用の一次転写ニップには、感光体ドラム３２Ｋ，３２Ｙ，３２Ｍ，３２Ｃ上のトナー像を中間転写ベルト３４ｂに向けて静電移動させる一次転写電界が形成されるようになっている。
【００４２】
図中の時計回り方向の周回に伴って各色用の一次転写ニップを順次通過していく中間転写ベルト３４ｂの外周側の表面（以下、おもて面という）には、各一次転写ニップでトナー像が順次重合されて一次転写されるようになっている。この重ね合わせの一次転写により、中間転写ベルト３４ｂのおもて面には４色重ね合わせのトナー像（以下、４色トナー像という）が形成されるようになっている。
【００４３】
二次転写部３５は、駆動ローラ３５ａと一次転写部３４の搬送ローラ３４ｄに近接する二次転写ローラ３５ｂとの間に無端状の紙搬送ベルト３５ｃを掛け渡して構成されており、駆動ローラ３５ａの回転に応じて紙搬送ベルト３５ｃが周回するようになっている。
【００４４】
一次転写部３４の中間転写ベルト３４ｂおよび二次転写部３５の紙搬送ベルト３５ｃは、一次転写部３４の搬送ローラ３４ｄと二次転写部３５の二次転写ローラ３５ｂとの間で互いに接触する程度に、両搬送ローラ３４ｄ，３５ｂの間に挟み込まれている。これにより、中間転写ベルト３４ｂのおもて面と紙搬送ベルト３５ｃのおもて面とが当接する二次転写ニップを形成するようになっている。
【００４５】
二次転写ローラ３５ｂには、図示しない電源によって二次転写バイアスが印加されるようになっている。また、一次転写部３４の下部の搬送ローラ３４ｄは、接地されている。これにより、二次転写ニップには、二次転写電界が形成されるようになっている。
【００４６】
そして、この二次転写ニップに対して転写紙Ｐが、レジストローラ対３７により中間転写ベルト３４ｂの周回速度に等しい速度および中間転写ベルト３４ｂ上の４色トナー像に同期させ得るタイミングで送り出されるようになっている。
【００４７】
二次転写ニップ内では、中間転写ベルト３４ｂ上の４色トナー像が二次転写電界やニップ圧の影響によって転写紙Ｐに一括して二次転写され、転写紙Ｐの白色と相まってフルカラー画像となる。
【００４８】
二次転写ニップを通過した転写紙Ｐは、中間転写ベルト３４ｂから離間して、紙搬送ベルト３５ｃのおもて面に保持されながら、その周回に伴って定着部３６へと搬送されるようになっている。また、二次転写ニップを通過した中間転写ベルト３４ｂのおもて面には、二次転写ニップで転写紙に転写されなかった転写残トナーが付着している。この転写残トナーは、中間転写ベルト３４ｂに当接するベルトクリーニング装置１６によって掻き取り除去されるようになっている。
【００４９】
定着部３６に搬送された転写紙Ｐは、定着部３６内における加圧や加熱によってフルカラー画像が定着された後、定着部３６から排紙ローラ対に送られ、機外の排紙トレイ３８上に排出されるようになっている。
【００５０】
図３に示すように、画像形成部３におけるプロセスユニット３０は、それぞれ使用するトナーの色が異なる他はほぼ同様の構成になっている。したがって、図中、隣り合う任意の２つのプロセスユニット３０の色を区別するＫ，Ｙ，Ｍ，Ｃの記号表現を省略して図示している。
【００５１】
各プロセスユニット３０は、感光体ドラム３２、現像装置３３、感光体ドラム３２の周りに配置されたドラムクリーニング装置１１や除電ランプ１２、帯電ローラ１３等により構成されている。
【００５２】
各プロセスユニット３０において、感光体ドラム３２は、アルミニウム等の素管に感光性を有する有機感光材の塗布による感光層を形成したドラム状のものである。
【００５３】
感光体ドラム３２には、露光装置３１が生成したレーザ光Ｌが露光され、感光体ドラム３２の表層部に読取原稿に対応する各色の静電画像が形成されるようになっている。
【００５４】
現像装置３３は、現像ケース３３ｃ内に図示しない磁性キャリアと非磁性トナーとを含有する二成分現像剤を収容するとともに、その二成分現像剤を攪拌しながら現像スリーブ３３ａに供給する攪拌スクリュー３３ｂを有している。
【００５５】
現像装置３３は、現像スリーブ３３ａの内方に位置する図示しないマグネット等を有しており、二成分現像剤中のトナーの一部を現像スリーブ３３ａに薄層状に担持させるようになっている。これにより、現像スリーブ上の薄層状のトナーが感光体ドラム３２に形成された静電潜像上に転移し得るようになっている。
【００５６】
現像後の残トナーは、現像スリーブ３３ａの回転に伴って再び現像ケース３３ｃ内に戻り、前記マグネットで形成される反発磁界の作用により現像スリーブ３３ａの表面から離脱するようになっている。さらに、現像ケース３３ｃ内のトナー濃度センサ３３ｄによりトナー濃度が検知された結果に基づいて、二成分現像剤に適量のトナーが補給されるようになっている。
【００５７】
ドラムクリーニング装置１１は、感光体ドラム３２の外周面に押し当てられるポリウレタンゴム製のクリーニングブレード１１ａと、感光体ドラム３２の外周面に接触する接触導電性のファーブラシ１１ｂとを有している。また、ドラムクリーニング装置１１は、ファーブラシ１１ｂに接触してカウンタ方向に回転する金属製の電界ローラ１１ｃと、電界ローラ１１ｃに押し当てられるスクレーパ１１ｄと、スクレーパ１１ｄの下側に位置する回収スクリュー１１ｅとを有している。電界ローラ１１ｃは、ファーブラシ１１ｂにバイアスを印加するようになっている。
【００５８】
感光体ドラム３２の外周面に残ったトナーは、ファーブラシ１１ｂに付着した後、電界ローラ１１ｃに転位し、スクレーパ１１ｄにより掻き落とされるようになっている。さらに、掻き落とされたトナーは、回収スクリュー１１ｅによりドラムクリーニング装置１１内から外部のリサイクル搬送装置に受け渡されるようになっている。
【００５９】
除電ランプ１２は、クリーニングされた感光体ドラム３２の外周面を光照射によって除電するようになっている。帯電ローラ１３は、除電された感光体ドラム３２の外周面を一様に帯電するようになっている。一様に帯電された感光体ドラム３２の外周面には、露光装置３１からのレーザ光Ｌによって光書込処理が行われるようになっている。
【００６０】
各感光体ドラム３２の下側には、無端状の中間転写ベルト３４ｂを、感光体ドラム３２に当接させながら周回させるための一次転写ローラ３４ａが配置されている。
【００６１】
図４に示すように、原稿読取部４は、画像形成装置１の装置本体１Ｍの上部に位置している。原稿読取部４は、原稿シートＳの搬送経路に位置する第１コンタクトガラス４５と、原稿シートＳが載置可能な第２コンタクトガラス４６と、原稿シートＳの一辺の突当ておよび位置決めが可能な突当部材４７ａとを有している。また、装置本体１Ｍは、上部前面側に操作部１５０を設置している。
【００６２】
操作部１５０は、プリントキー１５１およびタッチパネル１５２等を有しており、プリントキー１５１が押下されると、画像形成装置１に対して複写動作の開始を要求するようになっている。
【００６３】
自動原稿搬送部５は、画像形成装置１の装置本体１Ｍの上部にヒンジ機構１ｈを介して開閉動作可能に連結され、下面に原稿押さえ４７ｂが装着されている。自動原稿搬送部５は、原稿読取部４における第１コンタクトガラス４５および第２コンタクトガラス４６を露出させる開放位置と、第１コンタクトガラス４５および第２コンタクトガラス４６を覆う閉止位置との間で回動操作されるようになっている。
【００６４】
図５に示すように、自動原稿搬送部５は、シートスルー方式の自動原稿搬送装置として構成されている。そして、自動原稿搬送部５は、原稿載置台である原稿テーブル５１と、各種ローラおよびガイド部材等からなる原稿搬送部５２と、原稿読み取り後の原稿シートＳを集積する原稿排紙トレイ５３とを備えている。
【００６５】
自動原稿搬送部５は、複数の機能部として、原稿セット部Ａ、分離給送部Ｂ、レジスト部Ｃ、ターン部Ｄ、第１読取搬送部Ｅ、第２読取搬送部Ｆ、排出部Ｇおよびスタック部Ｈを備えている。
【００６６】
原稿セット部Ａは、カットシート状の少なくとも１枚の原稿シートＳ、例えば複数枚の原稿シートＳの束を載置可能な台状をなしており、原稿シートＳが片面原稿の場合には表面を上向きにした状態で原稿シートＳが載置されるようになっている。
【００６７】
分離給送部Ｂは、原稿セット部Ａに載置された原稿シートＳの束から最上位のものを分離して、後述する原稿搬送経路５６の入口に給送するようになっている。
【００６８】
レジスト部Ｃは、分離給送部Ｂから順次給送される原稿シートＳを一次突当てにより所要の搬送姿勢に整合する機能と、その整合後の原稿シートＳを下流側に引き出し搬送する機能を有している。
【００６９】
ターン部Ｄは、レジスト部Ｃにより引き出されて搬送される原稿シートＳを表裏面が反転するよう折り返し搬送し、原稿シートＳの表面を図中の下向きにする反転搬送機能を有している。
【００７０】
第１読取搬送部Ｅは、ターン部Ｄからの折り返し後の原稿シートＳを第１コンタクトガラス４５上の読取位置を通過させつつ副走査方向（原稿幅方向である主走査方向に対し直交する方向）に所定速度で搬送するようになっている。
【００７１】
第２読取搬送部Ｆは、原稿シートＳが両面原稿である場合に、その表面画像の主走査位置より下流側で図示しないプラテンガラスを通して図中の左斜め上方側から裏面画像を主走査し、原稿シートＳを副走査方向に所定速度で搬送するようになっている。
【００７２】
排出部Ｇは、第１読取搬送部Ｅおよび第２読取搬送部Ｆでの原稿画像読取りが完了した原稿シートＳをスタック部Ｈ側に排出するようになっている。
【００７３】
スタック部Ｈは、排出部Ｇから順次排紙される原稿シートＳをその表面を下向きにしつつ順次積載するようになっている。スタック部Ｈに積載される原稿シートＳは、原稿セット部Ａに載置したときと同じ頁順序であって、その束全体としては原稿面の向きが上下逆に積み重ねられるようになっている。
【００７４】
これら原稿セット部Ａ、分離給送部Ｂ、レジスト部Ｃ、ターン部Ｄ、第１読取搬送部Ｅ、第２読取搬送部Ｆ、排出部Ｇおよびスタック部Ｈは、後述する自動原稿搬送制御用のコントローラ部によって制御されるようになっている。
【００７５】
自動原稿搬送部５は、原稿テーブル５１に載置された原稿シートＳの原稿束から最上位の原稿シートＳを１枚ずつ分離して、原稿搬送部５２により、第１コンタクトガラス４５上を通る所定の搬送経路で搬送するようになっている。さらに、自動原稿搬送部５は、第１コンタクトガラス４５を通過する際に原稿読取部４により原稿シートＳの画像を読み取った後、原稿シートＳを原稿排紙トレイ５３に排紙するようになっている。
【００７６】
原稿シートＳが上向きに載置される原稿テーブル５１は、原稿搬送部５２側を原稿シートＳの先端側として、その先端側が下方、その後端側が上方となるように傾斜して配置されている。
【００７７】
原稿テーブル５１は、可動原稿テーブル５１Ａと後端側原稿テーブル５１Ｂとで分割されている。可動原稿テーブル５１Ａは、軸５１Ｃを回動中心として原稿シートＳの束厚に応じて先端が下方に傾くようになっており、後述する底板上昇モータを作動させることにより、図５に矢印ａ、矢印ｂで示す上下方向に回動するようになっている。
【００７８】
可動原稿テーブル５１Ａは、原稿搬送部５２に向かう原稿シートＳの給紙方向と直交する左右方向を位置決めするサイドガイド板５４を有している。サイドガイド板５４は、可動原稿テーブル５１Ａと原稿シートＳの幅方向基準位置とを一致させるように、可動原稿テーブル５１Ａの幅方向に相対的に接近・離間可能に配置された一対のガイド板である。
【００７９】
原稿搬送部５２は、少なくともその上方を開閉可能としたカバー５５によって覆われている。カバー５５は、原稿シートＳの先端がカバー内部に臨むように給紙口５５ａを有している。また、カバー５５は、給紙口５５ａよりも内部に可動原稿テーブル５１Ａの先端が位置するように、可動原稿テーブル５１Ａの先端の上方を覆っている。
【００８０】
原稿搬送部５２は、給紙口５５ａから原稿排紙トレイ５３の上方の排紙口５５ｂに至る範囲がカバー５５等に形成されたリブ５５ｃや他のガイド部材等により覆われ、原稿搬送経路５６を形成している。
【００８１】
原稿搬送部５２は、原稿シートＳの原稿搬送方向を基準として給紙口５５ａ側の上流端である可動原稿テーブル５１Ａの先端上部に、可動原稿テーブル５１Ａに載置された原稿シートＳにより回動するセットフィラー５７を有している。また、原稿搬送部５２は、給紙口５５ａよりも内側の近傍に配置されたピックアップローラ５８と、原稿搬送経路５６を挟んで対向するように配置された無端状の給紙ベルト５９およびリバースローラ６０（給紙部）とを有している。
【００８２】
ピックアップローラ５８は、後述するピックアップモータにより駆動され、接触位置において原稿テーブル５１に積載された原稿シートＳのうち、最上位側から数枚（理想的には１枚）の原稿シートＳを摩擦搬送してピックアップするようになっている。
【００８３】
給紙ベルト５９は、後述する給紙モータにより駆動されて周回し、その片側で原稿給送方向に沿って移動するようになっている。
【００８４】
リバースローラ６０は、給紙ベルト５９の原稿給送方向と逆方向に回転可能であり、トルクリミッタを内蔵している。リバースローラ６０は、給紙ベルト５９に対し所定圧で接しており、給紙ベルト５９と直接に接しているか、または１枚の原稿シートＳを介して接している状態では、給紙ベルト５９の回転につられて反時計方向につれ回りするようになっている。
【００８５】
リバースローラ６０は、複数枚の原稿シートＳが給紙ベルト５９とリバースローラ６０との間に進入すると、反時計方向への連れ回り力がトルクリミッタの設定トルクに対応した力よりも低くなる。よって、リバースローラ６０は、余分な原稿シートＳを押し戻して、原稿シートＳが重送されるのを防止するようになっている。
【００８６】
原稿搬送部５２は、原稿搬送経路５６を挟んで対向するように原稿シートＳをニップして搬送する複数組の搬送ローラ６１〜６５を有している。各組の搬送ローラ６１〜６５は、例えば互いに径方向に近接してニップを形成する各一対のまたは大小のローラを含んで構成されているが、軸方向における各ローラの配設数は任意である。これら搬送ローラ６１〜６５の配置数や配置場所は、原稿搬送経路５６の経路設計や、自動原稿搬送部５が許容する原稿シートＳの最小サイズの原稿搬送方向の長さ等に応じて適宜設定される。
【００８７】
給紙ベルト５９の下流側に隣接して配置された搬送ローラ６１は、プルアウトローラとして機能する。すなわち、搬送ローラ６１は、ピックアップローラ５８の駆動タイミングに応じて、給紙した原稿シートＳの先端を突き当ててスキューを補正するとともに、補正後の原稿シートＳを搬送方向に引き出して搬送するようになっている。
【００８８】
搬送ローラ６１は、原稿シートＳを中間の搬送ローラ６２まで搬送するためもので、給紙モータの逆転により駆動されるようになっている。この給紙モータの逆転時には、搬送ローラ６１，６２は駆動されるが、ピックアップローラ５８と給紙ベルト５９は、駆動されないようになっている。
【００８９】
また、次位の搬送ローラ６２は、引き出し搬送されてきた原稿シートＳを原稿搬送経路５６の中間のターン部分５６ａに進入させるターンローラとなっている。
【００９０】
搬送ローラ６１，６２の駆動によってレジスト部Ｃからターン部Ｄに搬送される原稿シートＳの搬送速度は、第１読取搬送部Ｅにおける原稿シートＳの搬送速度よりも高くに設定されており、原稿シートＳを第１読取搬送部Ｅへ送り込む処理時間の短縮が図られるようになっている。
【００９１】
原稿搬送経路５６のターン部分５６ａの下流側に配置された搬送ローラ６３は、ターン部分５６ａを通過した原稿シートＳを第１コンタクトガラス４５上に順次繰り出す読取入口ローラとなっている。第１コンタクトガラス４５を通過した原稿シートＳは、第１の読取出口ローラである搬送ローラ６４によって後述する第２面読取部４８側に搬送され、さらに第２の読取出口ローラである下流側の搬送ローラ６５によって排紙口５５ｂ側に搬送されるようになっている。
【００９２】
原稿搬送部５２は、また、第１コンタクトガラス４５の上方に対向するように配置された第１読取ローラ６６と、排紙口５５ｂの近傍に配置されて原稿シートＳを排紙口５５ｂから原稿排紙トレイ５３に向けて排出する排紙ローラ６７とを有している。
【００９３】
第１読取ローラ６６は、図示しないコイルスプリング等の付勢部材を用いて第１コンタクトガラス４５に向けて付勢されている。この第１読取ローラ６６は、原稿シートＳが搬送されるとき、第１コンタクトガラス４５上に進入する原稿シートＳを第１コンタクトガラス４５に密着させつつ下流側に移動させるようになっている。
【００９４】
原稿搬送部５２は、第１読取ローラ６６よりも下流側であって搬送ローラ６４と搬送ローラ６５との間に位置する比較的直線的な原稿搬送領域内に、第２面読取部４８を配置している。
【００９５】
第２面読取部４８は、原稿シートＳの裏面画像を読み取る裏面走査ユニット６９と、原稿搬送経路５６を挟んで裏面走査ユニット６９に対向するシェーディングローラ７０と、図示しない搬送ギャップ調整手段等を有している。
【００９６】
裏面走査ユニット６９は、例えば密着型イメージセンサ（ＣＩＳ）からなり、原稿シートＳの表面（第１面）の画像を原稿読取部４のＣＣＤ４４で読み取った後の原稿シートＳの裏面（第２面）の画像を読み取るようになっている。
【００９７】
シェーディングローラ７０は、裏面走査ユニット６９における原稿シートＳの浮きを抑えると同時に、裏面走査ユニット６９におけるシェーディングデータを取得するための基準白部を兼ねている。なお、原稿シートＳは、裏面画像の読み取りを行わない場合には、裏面走査ユニット６９を素通りするようになっている。
【００９８】
前述の搬送ギャップ調整手段は、例えばシェーディングローラ７０を支持する軸受に付加されており、裏面走査ユニット６９とシェーディングローラ７０の間のギャップを調整できるようになっている。これにより、裏面走査ユニット６９の焦点深度を読取原稿品質が損なわない状態にすることができる。
【００９９】
原稿テーブル５１には、原稿テーブル５１に載置した原稿シートＳの向きが縦長か横長のいずれであるかを検知する第１原稿長さ検知センサ８１Ａと第２原稿長さ検知センサ８１Ｂとが、給送方向に沿って離隔して設けられている。
【０１００】
第１原稿長さ検知センサ８１Ａと第２原稿長さ検知センサ８１Ｂとは、例えば、サイドガイド板５４の対向距離を検知する検知センサ（図示せず）と併用することで、原稿テーブル５１に載置された原稿シートＳのサイズを検知することができる。
【０１０１】
原稿テーブル５１の先端寄りの底面付近には、セットフィラー５７の先端部の移動軌跡上の最下部を検知することによって、原稿テーブル５１に原稿シートＳが載置されたか否かを検知する原稿セットセンサ８２が設けられている。原稿セットセンサ８２は、セットフィラー５７の先端部の移動軌跡上の最下部を検知するよう構成されている。
【０１０２】
可動原稿テーブル５１Ａの先端の下方には、ホームポジションセンサ８３が設けられている。このホームポジションセンサ８３は、可動原稿テーブル５１Ａが下方に回動してホームポジションに達したことを検知するよう構成されている。
【０１０３】
原稿搬送部５２は、テーブル上昇検知センサ８４、突当センサ８５、原稿幅センサ８６、読取入口センサ８７、レジストセンサ８８、排紙センサ８９を、原稿シートＳの搬送方向上流側から下流側へと、この順に配置している。
【０１０４】
テーブル上昇検知センサ８４は、可動原稿テーブル５１Ａ上の原稿束の上面位置を検出するよう構成されている。
【０１０５】
突当センサ８５は、給紙ベルト５９と搬送ローラ６１との間に配置されており、原稿シートＳの先端および後端を検知するよう構成されている。
【０１０６】
原稿幅センサ８６は、搬送ローラ６１と搬送ローラ６２との間に配置されており、原稿シートＳの幅方向に沿って複数並べた発光素子８６ａと、この発光素子８６ａと原稿搬送経路５６を挟んで対向位置に配置した受光素子８６ｂとを備えている。
【０１０７】
読取入口センサ８７、レジストセンサ８８、排紙センサ８９は、原稿シートＳの搬送距離や搬送速度等の制御並びにジャム検知等に用いられるようになっている。
【０１０８】
図６に示すように、画像形成装置１は、自動原稿搬送制御用のコントローラ部１００と、装置本体制御用の本体制御部１１１と、本体制御部１１１に付帯する操作部１５０とを備えている。本体制御部１１１は、本発明の制御手段を構成している。
【０１０９】
コントローラ部１００は、原稿セットセンサ８２、ホームポジションセンサ８３、テーブル上昇検知センサ８４、突当センサ８５、原稿幅センサ８６、読取入口センサ８７、レジストセンサ８８および排紙センサ８９の検知信号を取り込むようになっている。
【０１１０】
コントローラ部１００は、ピックアップローラ５８を駆動するピックアップモータ１０１、給紙ベルト５９および搬送ローラ６１，６２を駆動する給紙モータ１０２および搬送ローラ６３〜６５を駆動する読取モータ１０３を作動させるようになっている。また、コントローラ部１００は、排紙ローラ６７を駆動する排紙モータ１０４および可動原稿テーブル５１Ａを昇降させる底板上昇モータ１０５を作動させるようになっている。
【０１１１】
コントローラ部１００は、第２面読取部４８に対して、原稿シートＳの先端が裏面走査ユニット６９の読取位置に到達するタイミング（それ以降の画像データが有効データとして扱われる）を通知するタイミング信号等を出力するようになっている。
【０１１２】
コントローラ部１００と本体制御部１１１とは、インターフェース１０７を介して接続されている。本体制御部１１１は、操作部１５０のプリントキー１５１が押下されると、インターフェース１０７を介してコントローラ部１００に原稿給紙信号や読取開始信号を送信するようになっている。
【０１１３】
コントローラ部１００は、可動原稿テーブル５１Ａに原稿シートＳが載置されると、その検知情報を本体制御部１１１に送信し、また、底板上昇モータ１０５を作動させて、原稿シートＳの束の最上面がピックアップローラ５８に接触するまで可動原稿テーブル５１Ａを上昇させるようになっている。
【０１１４】
コントローラ部１００は、原稿給紙信号を受けると、ピックアップモータ１０１を作動させてピックアップローラ５８を駆動し、可動原稿テーブル５１Ａ上の最上位の原稿シートＳをピックアップするようになっている。
【０１１５】
コントローラ部１００は、原稿セットセンサ８２がセットフィラー５７の先端の移動軌跡上の最下位置を検知していると、可動原稿テーブル５１Ａに原稿シートＳが載置されていないと判定するようになっている。また、コントローラ部１００は、原稿セットセンサ８２がセットフィラー５７の先端を移動軌跡上の最下位置を検知していないと、可動原稿テーブル５１Ａに原稿シートＳが載置されていると判定するようになっている。
【０１１６】
コントローラ部１００は、ホームポジションセンサ８３の検知情報に基づいて、可動原稿テーブル５１Ａのホームポジションに達したことを判定するようになっている。
【０１１７】
コントローラ部１００は、給紙が繰り返され、テーブル上昇検知センサ８４により検知される原稿シートＳの上面位置が適切な高さ位置を下回ると、底板上昇モータ１０５を作動させて可動原稿テーブル５１Ａを上昇させるようになっている。また、コントローラ部１００は、可動原稿テーブル５１Ａが上昇し、テーブル上昇検知センサ８４により検知される原稿シートＳの上面位置が適切な高さ位置に達すると、底板上昇モータ１０５を停止させるようになっている。これにより、原稿シートＳの上面位置が常に給紙に適した高さ位置に維持されることになる。
【０１１８】
コントローラ部１００は、可動原稿テーブル５１Ａ上の原稿シートＳが全て給紙されると、底板上昇モータ１０５を作動させて可動原稿テーブル５１Ａをホームポジションに下降させるようになっている。これにより、可動原稿テーブル５１Ａに次の原稿シートＳの束を載置することができるようになる。
【０１１９】
コントローラ部１００は、突当センサ８５によって得た原稿シートＳの先端および後端の検知タイミングに基づいて、原稿シートＳの搬送距離に対応する給紙モータ１０２のパルス等から原稿シートＳの搬送方向の長さを判定するようになっている。
【０１２０】
コントローラ部１００は、給紙ベルト５９とリバースローラ６０との作用により１枚に分離された原稿シートＳの先端が、プルアウトローラである搬送ローラ６１に突き当たるまで給紙モータ１０２を作動させるようになっている。すなわち、コントローラ部１００は、搬送ローラ６１に原稿シートＳの先端が押し当てられるとともに、原稿シートＳが所定量の撓みを保持した状態で、給紙モータ１０２を停止させるようになっている。これにより、原稿シートＳの先端は、搬送ローラ６１のニップに進入し、先端の整合（スキュー補正）が行われることになる。
【０１２１】
コントローラ部１００は、原稿幅センサ８６の受光素子８６ｂの検知結果に基づいて、搬送ローラ６１により搬送された原稿シートＳの搬送方向と直交する幅方向のサイズを判定するようになっている。
【０１２２】
コントローラ部１００は、読取入口センサ８７により原稿シートＳの先端を検出すると、読取入口付近の搬送ローラ６３のニップに原稿シートＳの先端が進入する前に、原稿搬送速度を読取搬送速度と同速に減速するようになっている。また、コントローラ部１００は、読取モータ１０３を作動させて、搬送ローラ６３〜６５を駆動するようになっている。
【０１２３】
コントローラ部１００は、レジストセンサ８８により原稿シートＳの先端を検知すると、所定の搬送距離内で原稿搬送速度を減速し、第１コンタクトガラス４５上の読取位置Ｒの手前で原稿シートＳを一時停止させるようになっている。そして、コントローラ部１００は、その原稿一時停止状態を示すレジスト位置での停止を表す信号を、本体制御部１１１に送信するようになっている。
【０１２４】
さらに、コントローラ部１００は、本体制御部１１１より読取開始信号を受信すると、レジスト位置で停止していた原稿シートＳを、読取位置Ｒに原稿シートＳの先端が到達するまでに所定の搬送速度に立ち上がるように増速しつつ搬送させるようになっている。
【０１２５】
コントローラ部１００は、読取モータ１０３のパルスのカウント値により検出される原稿シートＳの先端位置が読取位置Ｒに到達するタイミングで、本体制御部１１１に第１面の副走査方向有効画像領域を示すゲート信号を送信するようになっている。また、コントローラ部１００は、原稿シートＳの後端が読取位置Ｒを通過するまで、ゲート信号の送信を継続するようになっている。
【０１２６】
原稿シートＳの片面だけを読み取る場合、コントローラ部１００は、排紙センサ８９により原稿シートＳの先端を検知すると、排紙モータ１０４を作動させて排紙ローラ６７を排紙方向に回転させるようになっている。また、コントローラ部１００は、排紙センサ８９により原稿シートＳの先端を検知してからの排紙モータ１０４のパルスのカウント値により、原稿シートＳの後端が排紙ローラ６７のニップから抜ける直前に原稿シートＳの搬送速度を減速させるようになっている。
【０１２７】
これにより、原稿排紙トレイ５３上に排出される原稿シートＳが、原稿排紙トレイ５３から外部に飛び出すことを抑制するようになっている。
【０１２８】
原稿シートＳの両面を読み取る場合、コントローラ部１００は、排紙センサ８９により原稿シートＳの先端を検知した時点から読取モータ１０３のパルスのカウント値を計測するようになっている。さらに、コントローラ部１００は、読取モータ１０３のパルスのカウント値により第２面読取部４８の裏面走査ユニット６９の読取位置に原稿シートＳの先端が到達するタイミングを検出するようになっている。
【０１２９】
コントローラ部１００は、第２面読取部４８の裏面走査ユニット６９における読取位置に原稿シートＳが進入するのに先立って、光源部２００を点灯させる光源ＯＮ信号を光源部２００に出力するようになっている。これにより、光源部２００が点灯し、原稿シートＳの第２面に向けて光が照射されるようになっている。
【０１３０】
そして、コントローラ部１００は、上記到達タイミングから原稿シートＳの後端が裏面走査ユニット６９の読取位置を通過するまで、第２面読取部４８に対して第２面である裏面側の副走査方向の有効画像領域を示すゲート信号を送信するようになっている。また、コントローラ部１００は、シェーディングローラ７０の基準白部を走査して、第２面読取部４８におけるシェーディングデータを取得するようになっている。
【０１３１】
図７に示すように、第２面読取部４８は、ＬＥＤアレイ、蛍光灯、または冷陰極管等からなる光源部２００を有している。光源部２００は、コントローラ部１００からの点灯信号に基づいて、原稿シートＳに光を照射するようになっている。また、第２面読取部４８は、コントローラ部１００から原稿シートＳの先端が裏面走査ユニット６９の読取位置に到達するタイミングを通知するタイミング信号や光源部２００の電源を得るようになっている。
【０１３２】
第２面読取部４８は、主走査方向に並ぶ複数のセンサチップ２０１と、それぞれのセンサチップ２０１に個別に接続された複数のＯＰアンプ回路２０２と、それぞれのＯＰアンプ回路２０２に個別に接続された複数のＡ／Ｄコンバータ２０３とを有している。さらに、第２面読取部４８は、画像処理部２０４、フレームメモリ２０５、出力制御回路２０６およびインターフェース回路２０７（図中ではＩ／Ｆ回路と記す）等を併有している。
【０１３３】
センサチップ２０１は、等倍密着イメージセンサと称される光電変換素子と集光レンズとを具備するものである。原稿シートＳの第２面で反射した反射光は、複数のセンサチップ２０１の集光レンズにより光電変換素子に集光され、画像情報として読み取られるようになっている。
【０１３４】
それぞれのセンサチップ２０１で読み取られた画像情報は、ＯＰアンプ回路２０２によって増幅された後、Ａ／Ｄコンバータ２０３によってデジタル画像情報に変換されるようになっている。
【０１３５】
これらデジタル画像情報は、画像処理部２０４に入力されてシェーディング補正などが施された後、フレームメモリ２０５に一時記憶されるようになっている。さらに、デジタル画像情報は、出力制御回路２０６によって本体制御部１１１に受入可能なデータ形式に変換された後、インターフェース回路２０７を経由して本体制御部１１１に出力されるようになっている。
【０１３６】
図８を用いて、原稿サイズ検知制御における原稿サイズ検知必要領域と原稿サイズの位置関係を説明する。
【０１３７】
図中のＡ３、Ａ４、Ａ５、Ｂ４、Ｂ５で示す領域は、原稿シートＳの第２コンタクトガラス４６上における原稿シートＳの載置態様を示している。また、Ｓ０、Ｓ１、Ｓ２、Ｓ３で示す領域は原稿サイズ判定用の各検知必要領域を示している。
【０１３８】
本体制御部１１１は、原稿読取部４のＣＣＤ４４が取得した画像に対応する部分の出力値を算出することにより第２コンタクトガラス４６上に載置された原稿シートＳの有無を検知するようになっている。
【０１３９】
点光源アレイ照明３１０（図１４参照）は、第２コンタクトガラス４６に載置された原稿シートＳに光を照射するようになっており、発光素子基板３０８上に複数の発光素子３０７を主走査方向に配列している。
【０１４０】
点光源アレイ照明３１０の発光素子３０７は、同図中のＮｏ１〜Ｎｏ８の点灯ブロックに分割され、各点灯ブロック毎に点灯可能になっている。なお、本実施の形態においては、点光源アレイ照明３１０は、８つの点灯ブロックに分割されているが、分割する点灯ブロックの数はこれに限られない。
【０１４１】
第１キャリッジ４１は、点光源アレイ照明３１０を支持し第２コンタクトガラス４６に載置された原稿シートＳと相対的に移動するようになっている。
【０１４２】
第１キャリッジ４１は、ＡＤＦ５が閉じた状態では、図８中のホームポジションに位置し、プレスキャン時にＡＤＦ５が開いたことを検知すると、点光源アレイ照明３１０を搭載した第１キャリッジは、図８中の待機位置へ移動し待機するようになっている。その後、ＡＤＦ５が再び閉じられると第１キャリッジ４１は、ホームポジションへ移動し、ＣＣＤ４４が各検知必要領域Ｓ０〜Ｓ３において原稿シートＳを読み取り、それらの画像データレベルから主走査方向における原稿サイズを検知するようになっている。以上のように、原稿サイズ検知時には、第１キャリッジ４１は原稿読取可能な位置に配置される。また原稿サイズ検知時には、本体制御部１１１は、ＡＤＦ５がある一定角度まで閉められたときに、検知必要領域Ｓ０〜Ｓ３に対応する部分の点灯ブロックの順次点灯・消灯を繰り返す。
【０１４３】
副走査サイズ検知センサ３２０Ａ、３２０Ｂは、副走査方向の原稿サイズを検知するようになっている。本体制御部１１１は、上記の各検知必要領域Ｓ０〜Ｓ３における主走査方向の原稿サイズ検知結果を、副走査サイズ検知センサ３２０Ａ、３２０Ｂの出力と組み合わせることで原稿サイズおよび転置方向を判断するようになっている。
【０１４４】
図９を用いて、原稿シートＳのサイズ検知を開始する仕組みを説明する。
【０１４５】
図９（ａ）は、ＡＤＦ５が開いた状態を画像形成装置１の斜め上方から視た図であり図９（ｂ）は、ＡＤＦ５が開いた状態を画像形成装置１の側面側から視た図である。
【０１４６】
この状態では、開閉センサ４０２はオフとなっているが、ＡＤＦ５を閉める途中で位置検知フィラー４０１が開閉センサ４０２を遮ることでＡＤＦ５が閉まることを検知するようになっている。ＡＤＦ５が閉まると第１キャリッジ４１は、ホームポジション（図８参照）へ移動しながら各検知必要領域Ｓ０〜Ｓ３における原稿シートＳを読み取り、それらの画像データレベルから原稿サイズの判断を開始する。
【０１４７】
図１０を用いて原稿サイズ検知動作途中でＡＤＦ５が閉まる直前を検知する方法を説明する。
【０１４８】
図１０（ａ）はＡＤＦ５を閉める途中を示しており、位置検知フィラー４０１が開閉センサ４０２を遮ることで、開閉センサ４０２がオンの状態となる。第１キャリッジ４１は、ホームポジション（図８参照）へ移動しながら各検知必要領域Ｓ０〜Ｓ３における原稿シートＳを読み取り、それらの画像データレベルから原稿サイズの判断を開始する。
【０１４９】
次いで、図１０（ｂ）に示すように、位置検知フィラー４０１のスリット部４０１ｓがＡＤＦ５の閉まる直前に開閉センサ４０２を通過するため、開閉センサ４０２はオフの状態となる。その後、図１０（ｃ）に示すように、ＡＤＦ５が完全に閉まると開閉センサ４０２は再びオンの状態となる。
【０１５０】
このようにして、開閉センサ４０２がＡＤＦ５が閉まる直前であることを検知すると、本体制御部１１１は、検知必要領域Ｓ０〜Ｓ３に対応する点光源アレイ照明３１０を全て点灯するようになっている。
【０１５１】
なお、本実施の形態では、スリット部を有する位置検知フィラー４０１と開閉センサ４０２とを用いて、原稿サイズ検知動作途中でＡＤＦ５が閉まる直前を検知する方法について説明したが、例えば、図１２、図１３に示す以下の方法を用いてもよい。
【０１５２】
図１２、図１３に示す方法において画像形成装置１は、位置検知フィラー５０１と開閉センサ４０２および位置検知フィラー６０１と開閉センサ６０２を備えている。この方法においては、図１３（ａ）に示すようにＡＤＦ５を閉める途中で位置検知フィラー５０１が開閉センサ５０２を遮ることで、開閉センサ５０２がオンの状態となる。第１キャリッジ４１は、ホームポジション（図８参照）へ移動しながら各検知必要領域Ｓ０〜Ｓ３における原稿シートＳを読み取り、それらの画像データレベルから原稿サイズの判断を開始する。
【０１５３】
次いで、図１３（ｂ）に示すように、位置検知フィラー６０１が開閉センサ６０２を通過することで、ＡＤＦ５の閉まる直前状態を検知するようになっている。図１３（ｃ）は、ＡＤＦ５が完全に閉じた状態を示している。
【０１５４】
次に、図１４を参照して、点光源アレイ照明３１０の詳細について説明する。図１４は、点光源アレイ照明３１０の副走査断面図である。
【０１５５】
点光源アレイ照明３１０は、発光素子３０７と発光素子３０７が実装された発光素子基板３０８、読取位置３０１に発光素子３０７から発光された光を導光する導光板３０６とカバー部材３０５，照明ブラケット３０９を備えている。
【０１５６】
導光板３０６の出射面から照射された光３０４は直接、第２コンタクトガラス４６上の読取位置３０１に照射される光と読取位置を挟んで点光源アレイ照明３１０に対向する位置に配置され、ベース部材３０３に支持された反射部材３０２に反射した光で読取位置３０１に照射される。
【０１５７】
次に、図１１を参照して、本体制御部１１１において実行される原稿サイズ検知フローについて説明する。
【０１５８】
図１１に示すように、本体制御部１１１は、ＡＤＦ５が開いた状態から閉まり始めて、原稿サイズ検知を開始する。次いで、本体制御部１１１は、開閉センサ４０２がオンの状態であるか否かを判断する（ステップＳ１）。
【０１５９】
本体制御部１１１は、開閉センサ４０２がオフの状態である場合は、本体制御部１１１は、検知必要領域Ｓ０〜Ｓ３における原稿シートＳを読み取る（ステップＳ２）。本体制御部１１１は、開閉センサ４０２がオンの状態である場合は、本体制御部１１１は、検知必要領域Ｓ０における原稿シートＳを読み取る（ステップＳ３）。
【０１６０】
次いで本体制御部１１１は、検知必要領域Ｓ０における原稿シートの有無を判断する（ステップＳ４）。ステップＳ４において、本体制御部１１１は、検知必要領域Ｓ０に原稿が無いと判断した場合、本体制御部１１１は、原稿サイズを決定する（ステップＳ１４）。ステップＳ４において、本体制御部１１１は、検知必要領域Ｓ０に原稿が有ると判断した場合、開閉センサ４０２がオンの状態であるか否かを判断する（ステップＳ５）。
【０１６１】
開閉センサ４０２がオフの状態である場合は、本体制御部１１１は、検知必要領域Ｓ１〜Ｓ３における原稿シートＳを読み取る（ステップＳ６）。開閉センサ４０２がオンの状態である場合は、本体制御部１１１は、検知必要領域Ｓ１における原稿シートＳを読み取る（ステップＳ７）。
【０１６２】
次いで本体制御部１１１は、検知必要領域Ｓ１における原稿シートの有無を判断する（ステップＳ８）。ステップＳ８において、本体制御部１１１は、検知必要領域Ｓ１に原稿シートが無いと判断した場合、本体制御部１１１は、原稿サイズを決定する（ステップＳ１４）。ステップＳ８において、本体制御部１１１は、検知必要領域Ｓ１に原稿が有ると判断した場合、開閉センサ４０２がオンの状態であるか否かを判断する（ステップＳ９）。
【０１６３】
本体制御部１１１は、開閉センサ４０２がオフの状態である場合は、検知必要領域Ｓ２〜Ｓ３における原稿シートＳを読み取る（ステップＳ１０）。本体制御部１１１は、開閉センサ４０２がオンの状態である場合は、検知必要領域Ｓ２における原稿シートＳを読み取る（ステップＳ１１）。
【０１６４】
次いで本体制御部１１１は、検知必要領域Ｓ２における原稿シートの有無を判断する（ステップＳ１２）。ステップＳ１２において、本体制御部１１１は、検知必要領域Ｓ２に原稿シートが無いと判断した場合、本体制御部１１１は、原稿サイズを決定する（ステップＳ１４）。
【０１６５】
ステップＳ１２において、本体制御部１１１は、検知必要領域Ｓ２に原稿が有ると判断した場合、本体制御部１１１は、検知必要領域Ｓ３における原稿シートＳを読み取り（ステップＳ１３）、最終的に原稿サイズを決定する（ステップＳ１４）。本体制御部１１１は、原稿サイズを、検知必要領域Ｓ０〜Ｓ３での読み取りによる主走査方向サイズの判定結果と、副走査サイズ検知センサ３２０Ａおよび３２０Ｂ（図８参照）による副走査方向サイズの判定結果を組み合わせて判定する。
【０１６６】
例えば、主走査方向サイズ判定結果が、検知必要領域Ｓ１まで原稿有りで、副走査サイズ検知センサＡによる副走査方向サイズ判定結果が、原稿有りの場合は、本体制御部１１１は、原稿サイズをＡ４（横）であると判定する。
【０１６７】
以上のように、本実施の形態に係る画像形成装置１は、原稿サイズ検知の途中でＡＤＦ５が閉まる直前であることを検知する開閉センサ４０２を有し、ＡＤＦ５が閉まる直前であることを検知すると検知必要領域Ｓ０〜Ｓ３に対応する点光源アレイ照明３１０を全て点灯するよう構成されている。このため、原稿サイズ検知時にユーザのまぶしさによる不快感を軽減しつつ、ユーザの画像形成装置１の使い方のばらつきによる原稿サイズ誤検知を防ぐことができる。
【０１６８】
上述した第１の実施の形態に係る原稿読取装置にあっては、開閉検知手段が、原稿押さえ手段が閉まる直前であることを検知すると、検知必要領域に対応する点灯ブロックを全て点灯するようになっている。しかし、以下に説明する第２の実施の形態に係る原稿読取装置のように、点光源アレイ照明は、検知必要領域に対応する部分の互いに隣接していない発光素子同士を少なくとも一つ直列接続するようにしてもよい。
【０１６９】
従来の原稿サイズ検知時に画像を取得しその取得画像データから原稿サイズを判断する方式では、原稿が置かれていない状態や原稿サイズ領域外（特に原稿サイズが小さい場合に）から光源からの漏れ光が多く発生し、ユーザが上記漏れ光を眩しく感じる問題が生じていた。
【０１７０】
一般的な原稿サイズ検知時での照明構成は、主走査方向に発光素子を複数個配置させ、隣り合う発行素子同士を複数直列接続し、各々の直列接続を直列ブロックとし、複数の直列ブロックを並列接続させるようになっている。
【０１７１】
点灯制御としては上記直列ブロックごとに制御している。眩しさ低減の観点からは最低限の発光素子のみを点灯させることが望ましいが、上記発光素子の回路構成から隣り合う複数個の発光素子を直列接続しているためブロックごとの点灯制御となり、検知必要領域より広い範囲を点灯させる必要があるため眩しさの低減および消費電力が多くなる問題がある。
【０１７２】
近年、原稿サイズ検知時の消費電力削減を目的として、原稿サイズ検知時に主走査方向に複数個並べた発光素子のうち、特定の発光素子のみを点灯制御するものが知られている（例えば特許文献２参照）。この特許文献２に開示された原稿読取装置は、複数の光源を配列した照射手段と、所定の光源を点灯させる光源点灯制御手段と、を備えており、原稿サイズ検知時に特定の発光素子のみを点灯制御させて原稿サイズを検知できるようになっている。しかし、このような特許文献２に開示された原稿読取装置は、単一の発光素子で接続し、回路を構成した場合、個々に発光素子の点灯に駆動部品が必要なことや配線数が多数になり、部品コストのアップや配線数の増加による実装基板の大型化するという課題があった。
【０１７３】
以下に説明する第２の実施の形態に係る原稿読取装置は、前述した課題を解決するためになされたもので、読取用の点光源アレイ照明の基板サイズの小型化および回路の簡略化を図りながら原稿サイズ検知時に光源の点灯させる領域を最小限にすることを目的とする。
（第２の実施の形態）
以下、第２の実施の形態に係る画像形成装置について説明する。
【０１７４】
第２の実施の形態に係る画像形成装置においては、第１の実施の形態におけるものとは点光源アレイ照明の構成要素が異なっているが、他の構成要素は同様に構成されている。したがって、同一の構成要素については、図１ないし図１４に示した第１実施形態と同一の符号を用いて説明し、特に相違点についてのみ詳述する。
【０１７５】
図１５を用いて、発光素子３０７が実装された発光素子基板３０８について説明する。
【０１７６】
発光素子基板３０８には、主走査方向に複数個の発光素子３０７が配置されている。発光素子３０７の回路構成としては、複数個の発光素子３０７を直列に接続し、直列に接続された複数のブロックを並列に接続する。なお、ここでのブロックとは同一の直列接続された発光素子３０７を指す。図１５に示すように本実施の形態においては、発光素子３０７は８つのブロックに分割されているが、分割されるブロックの数はこれに限定されるものではない。
【０１７７】
本実施の形態に係る画像形成装置における発光素子基板３０８の配置は、図１５に示すように発光素子３０７が配列されている方向が主走査方向と一致する方向になる。発光素子基板３０８の長手方向の端部には、発光素子３０７に電源を供給するためのコネクタ３１２が実装されている。
【０１７８】
図１６を用いて、検知必要領域Ｓ０〜Ｓ３と発光素子３０７同士の接続について説明する。
【０１７９】
図１６においては両矢印Ｓ１´〜Ｓ３´で示す区間が各検知必要領域Ｓ１〜Ｓ３に対応する部分の発光素子３０７が実装されている発光素子基板３０８の位置に該当する。図１６に示すように、各検知必要領域Ｓ１〜Ｓ３は一定間隔離れて位置しており、それに対応する発光素子３０７の位置も隣り合う位置ではなく、複数個離れた位置に配置された発光素子３０７となる。
【０１８０】
本実施の形態では、各検知必要領域Ｓ１〜Ｓ３に対応する部分の互いに隣接していない発光素子３０７同士を少なくとも一つ直列接続するとともに、隣接する発光素子３０７同士も一部直列接続している。このように発光素子３０７同士を接続することにより、単一回路の点灯制御により検知必要領域Ｓ１〜Ｓ３に対応する領域の発光素子３０７のみを点灯することが可能となる。
【０１８１】
以上のように、本実施の形態に係る画像形成装置は、点光源アレイ照明３１０は、検知必要領域Ｓ０〜Ｓ３に対応する部分の互いに隣接していない発光素子３０７同士を少なくとも一つ直列接続するように構成した。このため、読取用の点光源アレイ照明３１０の発光素子基板３０８のサイズの小型化および回路の簡略化を図りながら、原稿サイズ検知時に点光源アレイ照明３１０の点灯させる領域を最小限にすることができる。
【０１８２】
また、上述の実施の形態において、点光源アレイ照明３１０は、発光素子３０７同士の接続において、隣接する発光素子３０７同士の接続も有する構成であってもよい。このため、隣接する接続と隣接しない接続の両方の接続を有することにより画像領域に応じた部分を点灯させて画像読取をすることができる。
【０１８３】
また、上述の実施の形態において、点光源アレイ照明３１０は、発光素子３０７同士の接続において、隣接していない発光素子３０７の接続と隣接している発光素子３０７の接続を切り替える機能を有する構成であってもよい。このため、点光源アレイ照明３１０は、回路構成を切り替える構成を有することにより、発光素子３０７への電圧および電流値のばらつきを低減することができる。
【０１８４】
また、上述の実施の形態において、点光源アレイ照明３１０は、発光素子３０７の配列において、中央部と端部の発光素子３０７の配置間隔が異なる構成であってもよい。このため、周辺部での光量低下による画質低下に対して発光素子３０７の実装密度を中央部と端部で変えることにより、光源側で周辺光量による出力低下を補正することができる。
【０１８５】
また、上述の実施の形態において、原稿読取時と原稿サイズ検知時での発光素子３０７の光量比率が異なる構成であってもよい。このため、原稿サイズ検知時での光量を読取時間より低下させることにより、原稿サイズ検知時でのユーザへの眩しさによる不快感を低減させることができる。
【０１８６】
上述した第１の実施の形態に係る原稿読取装置にあっては、開閉検知手段が、原稿押さえ手段が閉まる直前であることを検知すると、検知必要領域に対応する点灯ブロックを全て点灯するようになっている。しかし、以下に説明する第３の実施の形態に係る原稿読取装置のように、原稿サイズ検知時には、点光源アレイ照明の長手方向の原稿有無検知位置に応じた点光源の点灯パターンで得られた受光素子の信号を、予め格納されていたシェーディング補正データを用いて補正することにより原稿有無を瞬時に判断し、その結果に応じて、次の原稿有無検知制御を決定し、全ての原稿有無検知後に点灯パターンの実シェーディング補正データを取得し、瞬時判断時の格納シェーディンデータと検知後の実シェーディン補正データを比較するよう制御してもよい。
【０１８７】
近年、原稿サイズの誤検知を防止する目的で、部分点灯パターンに応じてシェーディング補正データを格納しておく制御や、シェーディング補正データの取得タイミングを設定するものが知られている（例えば、特許文献３参照）。また、原稿サイズ検知の精度を向上させる目的で、原稿有無の判断を瞬時に行い、その後の原稿有無判断位置を決定する制御を行うものも知られている（例えば、特許文献４参照）。
【０１８８】
しかしながら、原稿有無を瞬時に判断して次の検知スポットに対応した点光源を部分的に順次点灯して原稿サイズ検知を行う原稿読取装置では、原稿検知開始前（原稿有無判断前）に部分的に点灯する照明のパターンに応じたシェーディング補正データが必要である。一方、データとしては、予め格納していたシェーディング補正データを使用していたため、実際の原稿有無判断時の照明特性とは異なることがあり、シェーディング補正データも異なるため、原稿有無判断の正確性を判断できない問題があった。
【０１８９】
以下に説明する第３の実施の形態に係る原稿読取装置は、前述した課題を解決するためになされたもので、瞬時に原稿有無を判断し次の検知スポットを決定する原稿サイズ検知方法において、原稿有無判断時に使用したシェーディング補正データを、全ての原稿有無判断終了直後に取得したシェーディング補正データと比較し、その乖離量にて原稿有無判断の正確性を判断することを目的とする。
（第３の実施の形態）
以下、第３の実施の形態に係る画像形成装置について説明する。
【０１９０】
第３の実施の形態に係る画像形成装置においては、第１の実施の形態におけるものとは原稿サイズ検知方法が異なっているが、他の構成要素は同様に構成されている。したがって、同一の構成要素については、図１ないし図１４に示した第１実施形態と同一の符号を用いて説明し、特に相違点についてのみ詳述する。
【０１９１】
図１７を用いて原稿有無を判断する検知必要領域に応じて複数のブロックに分割された発光素子３０７を部分的に点灯し原稿有無を瞬時に判断する方法について説明する。
【０１９２】
主走査方向に並べられた発光素子３０７のうち、図１７のように破線枠ａ，ｂ，ｃを検知必要領域Ｓ１〜Ｓ３に対応する部分のブロックとする。
【０１９３】
まず破線枠ａの発光素子３０７を点灯し、画像を読取り、ここでＣＣＤ４４（図１参照）が原稿シートＳからの反射光を受光したか否かで原稿の有無を判断する。原稿無しと判断された場合には破線枠ａにて原稿サイズ検知を終了、若しくは再度破線枠ａでの原稿の有無を判断する。原稿有りと判断された場合には、続いて破線枠ｂまたはｃの発光素子３０７を点灯させ原稿の有無を判断する。この原稿有無の判断から次の検知必要領域を決定し、順次原稿有無判断を実施することにより、原稿サイズ検知を行うようになっている。
【０１９４】
図１８を用いて、原稿有無を瞬時に判断して、次の検知必要領域を順次決定していく際の、シェーディング補正データの比較制御フローの一例を示す。検知必要領域、点灯ブロックは、図８、図１７におけるものと同様とする。
【０１９５】
まず、比較制御の概略を説明する。原稿サイズ検知モード時に、点光源アレイ照明の長手方向の原稿有無検知位置に応じた点光源の点灯パターンで得られた受光素子の信号を、予め格納されていたシェーディング補正データを用いて補正することにより原稿有無を瞬時に判断する。その結果に応じて、次の原稿有無検知を決定し、全原稿有無検知後に点灯パターンの実シェーディング補正データを取得し、瞬時判断時の格納シェーディング補正データと検知後の実シェーディング補正データを比較する。
【０１９６】
比較制御フローについて以下具体的に説明する。本体制御部１１１は、原稿有無判断位置として検知必要領域Ｓ１を選択する（ステップＳ２１）。次いで、本体制御部１１１は、選択した検知必要領域Ｓ１に対応する点灯ブロックａを点灯し（ステップＳ２２）、出力値を取得する（ステップＳ２３）。本体制御部１１１は、その出力値に対して、予め格納されていた、点灯ブロックａ点灯時の格納シェーディング補正データ１を使用し、出力値の補正を行う（ステップＳ２４）。
【０１９７】
本体制御部１１１は、ステップＳ２４で補正された出力値が所定の閾値より大きいか否かを判断することで瞬時に原稿有無判断を行う（ステップＳ２５）。本体制御部１１１は、補正された出力値が閾値以上である場合、原稿有りと判断し、閾値よりも小さい場合は原稿無し、と判断する。
【０１９８】
本体制御部１１１は、瞬時に原稿有無判断の結果原稿有りと判断し、原稿シートＳの長さ特定が完了できる場合（ステップＳ２６）には、原稿有無判断に使用した点灯ブロックａの点灯時の実シェーディング補正データ１を取得し（ステップＳ５２）、先に使用した格納シェーディング補正データ１とを比較し（ステップＳ５３）、比較制御処理を終える（ステップＳ５４）。
【０１９９】
本体制御部１１１は、点灯ブロックａによる原稿有無判断で原稿有りと判断され、原稿シートＳの長さ特定が完了しない場合は、それらの結果から次の原稿有無判断位置として検知必要領域Ｓ２を選択する（ステップＳ４０）。次いで、本体制御部１１１は、選択した検知必要領域Ｓ２に対応する点灯ブロックｂを点灯し（ステップＳ４１）、出力値を取得する（ステップＳ４２）。
【０２００】
本体制御部１１１は、ステップＳ２４と同様にその出力値に対して、予め格納されていた点灯ブロックｂの点灯時の格納シェーディング補正データ２を使用し、出力値の補正を行う（ステップＳ４３）。本体制御部１１１は、ステップＳ４３で補正された出力値が所定の閾値より大きいか否かを判断することで原稿有無判断を行う（ステップＳ４４）。
【０２０１】
本体制御部１１１は、補正された出力値が閾値以上である場合原稿有りと判断し、閾値よりも小さい場合は原稿無し、と判断する。本体制御部１１１は、その原稿有無判断により原稿シートＳの長さが特定できない場合は、別処理にて長さ特定完了（ステップＳ４５）、若しくは原稿有無判断完了制御（ステップＳ４７）に移行する。
【０２０２】
本体制御部１１１は、原稿シートＳの長さが特定できる場合には（ステップＳ４６）、この時点までに使用した２パターンの点灯ブロック点灯による、実シェーディング補正データ１、実シェーディング補正データ２を取得する（ステップＳ４８、ステップＳ４９）。次いで、本体制御部１１１は、対応する実シェーディング補正データ１と格納シェーディング補正データ１とを比較し（ステップＳ５０）、対応する実シェーディング補正データ２と格納シェーディング補正データ２とを比較し（ステップＳ５１）、比較制御処理を終える（ステップＳ５４）。
【０２０３】
本体制御部１１１は、点灯ブロックａの原稿有無判断で原稿無しと判断され、原稿シートＳの長さ特定が完了しない場合（ステップＳ２７）は、それらの結果から次の原稿有無判断位置として検知必要領域Ｓ１および検知必要領域Ｓ２を選択する（ステップＳ２８）。次いで、本体制御部１１１は、選択した検知必要領域Ｓ１および検知必要領域Ｓ２に対応する点灯ブロックａおよび点灯ブロックｂを点灯し（ステップＳ２９）、出力値を取得する（ステップＳ３０）。
【０２０４】
本体制御部１１１は、予め格納されていた点灯ブロックａおよび点灯ブロックｂの点灯時の格納シェーディング補正データ３を使用し、出力値の補正を行う（ステップＳ３１）。本体制御部１１１は、ステップＳ３１で補正された出力値が所定の閾値より大きいか否かを判断することで原稿有無判断を行う（ステップＳ３１）。本体制御部１１１は、補正された出力値が閾値以上である場合、原稿有りと判断し、閾値よりも小さい場合は原稿無し、と判断する。
【０２０５】
本体制御部１１１は、ステップＳ３１における原稿有無判断により、原稿シートＳの長さが特定できない場合は、別処理にて長さ特定完了（ステップＳ３３）、若しくは原稿有無判断完了制御（ステップＳ３５）に移行する。本体制御部１１１は、原稿シートＳの長さが特定できる場合には（ステップＳ３４）、この時点までに使用した２パターンの点灯ブロック点灯による、実シェーディング補正データ１、実シェーディング補正データ３を取得する（ステップＳ３６、ステップＳ３７）。ここで、実シェーディング補正データ１は、点灯ブロックａの点灯によるものであり、実シェーディング補正データ３は、点灯ブロックａおよび点灯ブロックｂの点灯によるものである。
【０２０６】
次いで、本体制御部１１１は、対応する実シェーディング補正データ１と格納シェーディング補正データ１とを比較し（ステップＳ３８）、対応する実シェーディング補正データ３と格納シェーディング補正データ３とを比較し（ステップＳ３９）、比較制御処理を終える（ステップＳ５４）。
【０２０７】
原稿有無判断と長さ特定完了判断によって、次の原稿有無判断位置が選択されるため、判断位置、点灯ブロックに関して上記実施例は一例に過ぎない。また検知回数制限や、対象原稿サイズの判定に掛かる回数などで、原稿有無判断、長さ特定後のフローが変わるため、図中では別定義処理としている。
【０２０８】
長さ特定処理においては、本体制御部１１１は、点灯条件に対応する検知必要領域Ｓ０〜Ｓ３についての受光量が所定の閾値以下であった場合には、その領域について原稿が存在していないと判断するようになっている。本体制御部１１１は、様々な点灯条件で取得した受光量に基づいて、第２コンタクトガラス４６の上に置かれた原稿シートＳの主走査方向の長さを特定する。
【０２０９】
例えば、検知必要領域Ｓ１についての受光量が閾値以下である場合には、本体制御部１１１は、原稿の主走査方向の長さについて、Ａ４短手方向の長さ未満であると特定する。また、検知必要領域Ｓ２についての受光量が閾値以下であり、かつ検知必要領域Ｓ１についての受光量が閾値を上回ったとする。この場合には、本体制御部１１１は、原稿の主走査方向の長さについて、Ａ４短手方向の長さであると特定する。
【０２１０】
また、検知必要領域Ｓ３についての受光量が閾値以下であり、且つ検知必要領域Ｓ２についての受光量が閾値を上回ったとする。この場合には、本体制御部１１１は、原稿の主走査方向の長さについて、Ｂ４短手方向の長さであると特定する。
【０２１１】
また、検知必要領域Ｓ３についての受光量が閾値以上又は閾値を超え、且つ検知必要領域Ｓ２についての受光量が閾値を上回ったとする。この場合には、本体制御部１１１は、原稿の主走査方向の長さについて、Ａ３短手方向の長さであると特定する。
【０２１２】
以上のように、本実施の形態に係る画像形成装置は、点光源アレイ照明３１０の長手方向の原稿有無検知位置に応じた点光源アレイ照明３１０の点灯パターンで得られたＣＣＤ４４の信号を、予め格納されていた格納シェーディング補正データを用いて補正することにより原稿有無を瞬時に判断するよう構成した。そして、その結果に応じて、次の原稿有無検知制御を決定し、全ての原稿有無検知後に点灯パターンの実シェーディング補正データを取得し、原稿有無の瞬時判断時の格納シェーディンデータと検知後の実シェーディン補正データとを比較するよう構成した。
【０２１３】
このため、瞬時判断時の格納シェーディンデータと検知後の実シェーディン補正データとの乖離量にて原稿有無判断の正確性を判断することができる。
【０２１４】
また、上述の実施の形態において、第１キャリッジ４１が原稿読取可能な位置範囲内を移動しながら原稿有無判断を行う構成であってもよい。このため、副走査方向に異なった箇所で原稿有無の検知を行い、１ライン以上の原稿情報の読み取りが行えることにより誤判断の発生を抑制できる。
【０２１５】
また、上述の実施の形態において、実シェーディング補正データの取得を装置内副走査方向に設けられた基準白板の読み取りによって実施する構成であってもよい。このため、基準白板読取によって、実シェーディング補正データを精度よく取得することが出来、格納シェーディング補正データと実シェーディング補正データとの比較をより正確に行うことができる。
【０２１６】
また、上述の実施の形態において、基準白板の読み取りを、第１キャリッジ４１を基準白板の読取可能範囲内で移動させながら行う構成であってもよい。このため、副走査方向に異なった箇所で白板の読み取りを行うため、１ライン以上の白板情報の読み取りが行えることにより、より精度良く実シェーディング補正データを取得することができる。
【０２１７】
また、上述の実施の形態において、原稿有無判断時の点灯ブロックの点灯パターン数に応じて、第１キャリッジ４１の移動速度を変更する構成であってもよい。
【０２１８】
基準白板の読取可能範囲には制限があるため、第１キャリッジ４１の移動速度によって、得られる白板情報量が変動する。原稿有無判断時のブロック点灯のパターンが少ない場合は、第１キャリッジ４１の移動速度を上げても実シェーディング補正データの取得には影響は少なく、原稿サイズ検知終了から、原稿読取開始状態に移行するまでの時間を短縮できる。
【０２１９】
反対に原稿有無判断時のブロック点灯パターンが多い場合は、第１キャリッジ４１の移動速度を下げて各点灯パターンに応じた実シェーディング補正データを精度良く取得でき、格納シェーディング補正データと実シェーディング補正データとの比較をより正確に行うことができる。
【０２２０】
また、上述の実施の形態において、原稿有無判断時の点灯ブロックの点灯パターン数に応じて、ＣＣＤ４４での出力取得タイミングを変更する構成であってもよい。このため、基準白板読取可能範囲には制限があるが、第１キャリッジ４１を移動させながら白板情報を取得する際に、原稿有無判断時のブロック点灯パターンが変動するため、それに合わせてＣＣＤ４４の出力取得タイミングを変更することにより、各点灯ブロックの点灯パターン毎の実シェーディング補正データを精度良く取得することができる。
【０２２１】
（その他の実施の形態）
本発明は、上記の実施の形態に限定されるものでなく、特許請求の範囲に記載された本発明の技術的範囲には、発明の要旨を逸脱しない範囲内で種々、設計変更した形態が含まれる。
【０２２２】
上述の実施の形態において、格納シェーディング補正データと、実シェーディング補正データの比較の結果が閾値を越えた場合にエラー処理を行う構成であってもよい。このため、これら２つのシェーディング補正データに乖離が大きい場合には、原稿サイズ検知が正しく行えていない可能性があるが、エラー処理を行うことでそのまま原稿読取可能状態に移行することを防ぐことができる。
【０２２３】
また、上述の実施の形態において、一部の格納シェーディング補正データと、実シェーディング補正データの比較の結果が閾値を越えた場合に、それを除く点灯パターンの原稿有無判断にて、全ての原稿有無判断位置の情報を取得できていた場合には、その結果をもって原稿サイズ決定する構成であってもよい。
【０２２４】
この構成により、複数の点灯パターンにより原稿有無を判断する場合には、一部の点灯パターンにおける格納シェーディング補正データと、実シェーディング補正データの比較結果のみが閾値を超える可能性があるが、その他の点灯パターンにて全ての原稿有無判断位置情報を取得していれば、正常に原稿サイズを終了することができ、エラーの発生数を低減することができる。
【０２２５】
また、上述の実施の形態において、原稿サイズ検知時に点光源アレイ照明３１０の点灯パターンに応じた実シェーディング補正データを取得した際には、その実シェーディング補正データを格納シェーディング補正データとして再格納する構成であってもよい。この構成により、常に最新の実シェーディング補正データを、格納シェーディング補正データとして使用できるため、これら２つのシェーディング補正データの比較において、その差分が閾値を超えることを低減することができる。
【０２２６】
また、上述の実施の形態において、格納する実シェーディング補正データは、前回の格納シェーディング補正データと実シェーディング補正データの比較において、閾値を超えなかったデータのみ適用する構成であってもよい。
【０２２７】
前回の格納シェーディング補正データと実シェーディング補正データとの差分が大きい場合には異常状態での白板取得や、故障状態であることが考えられる。しかし、この構成により、格納シェーディング補正データに一度異常なデータを再格納し、以降は異常な状態との比較を行うことにより、正確に原稿有無の判断が実施出来なくなることを抑制できる。
【０２２８】
本発明によれば、原稿サイズ検知時、ユーザのまぶしさによる不快感を軽減しつつ、ユーザの使用方法のばらつきによる、原稿サイズ誤検知を防ぐことができるという効果を有し、原稿台上に載置された原稿サイズを検知する原稿サイズ検知装置、原稿読取装置、画像形成装置および原稿サイズ検知方法の全般に有用である。
【符号の説明】
【０２２９】
１  画像形成装置
４  原稿読取部
５  自動原稿搬送部（原稿押さえ手段）
６  原稿読取装置
４１  第１キャリッジ（移動体）
４４  ＣＣＤ（受光手段、原稿サイズ検知手段）
４６  第２コンタクトガラス（原稿台）
１１１  本体制御部（制御手段）
３０７  発光素子
３１０  点光源アレイ照明
３２０Ａ、Ｂ  副走査サイズ検知センサ（原稿サイズ検知手段）
Ｓ０，Ｓ１，Ｓ２，Ｓ３  検知必要領域
４０１，５０１，６０１  位置検知フィラー（開閉検知手段）
４０２，５０２，６０２  開閉センサ（開閉検知手段）
Ｓ  原稿シート（原稿）
【先行技術文献】
【特許文献】
【０２３０】
【特許文献１】特許第４００６４１７号公報
【特許文献２】特開２００２−２７１５８３号公報
【特許文献３】特開２０１４−１３８３０１号公報
【特許文献４】特開２０１４−１３８２２０号公報
【図１】
2016119571.tif 000003
【図２】
2016119571.tif 000004
【図３】
2016119571.tif 000005
【図４】
2016119571.tif 000006
【図５】
2016119571.tif 000007
【図６】
2016119571.tif 000008
【図７】
2016119571.tif 000009
【図８】
2016119571.tif 000010
【図９】
2016119571.tif 000011
【図１０】
2016119571.tif 000012
【図１１】
2016119571.tif 000013
【図１２】
2016119571.tif 000014
【図１３】
2016119571.tif 000015
【図１４】
2016119571.tif 000016
【図１５】
2016119571.tif 000017
【図１６】
2016119571.tif 000018
【図１７】
2016119571.tif 000019
【図１８】
2016119571.tif 000020